(57)【特許請求の範囲】
【請求項１】
昇降路内を昇降する乗りかごおよび釣り合いおもりと、
前記昇降路内に設けられ、前記釣り合いおもりを案内する釣り合いおもりガイドレールと、
前記乗りかごの上面に展開位置と収納位置をとるよう揺動自在に設けられた、第１フックを有する足場踏み台および第２フックを有する手摺りとを備え、
前記収納位置をとる時、前記足場踏み台と前記手摺りは平面視で前記乗りかご内に収まり、前記展開位置をとる時、前記足場踏み台と前記手摺りは平面視で前記乗りかごの外方へ突出し、
前記釣り合いおもりガイドレールに、前記展開位置をとる前記足場踏み台の第１フックおよび前記手摺りの第２フックと各々係合する第１ブラケットおよび第２ブラケットを設けた、エレベータ装置。
【請求項２】
前記足場踏み台は、前記展開位置において前記乗りかごから前記釣り合いおもりガイドレールに向かって順次配置された複数の分割踏み台を有し、各分割踏み台は互いにリンク機構を介して揺動自在となる、請求項１記載のエレベータ装置。
【請求項３】
前記足場踏み台は上層踏み台と下層踏み台を含む上下２層構造を備え、
前記上層踏み台と前記下層踏み台との間に伸縮部材が介在され、
前記下層踏み台は前記乗りかご側に支持され、前記第１フックは前記上層踏み台の先端に設けられている、請求項１または２記載のエレベータ装置。
【請求項４】
前記第１ブラケットまたは第２ブラケットは、前記釣り合いおもりガイドレールに固定される機器の取り付けブラケットとして兼用される、請求項１乃至３のいずれか記載のエレベータ装置。
【請求項５】
前記乗りかごの上面に、前記足場踏み台と前記手摺りが前記収納位置にあるか否か検知する収納位置検知装置を設けた、請求項１乃至４のいずれか記載のエレベータ装置。
【請求項６】
昇降路内を昇降する乗りかごおよび釣り合いおもりと、
前記昇降路内に設けられ、前記釣り合いおもりを案内する釣り合いおもりガイドレールと、
前記乗りかごの上面に展開位置と収納位置をとるよう揺動自在に設けられた、第１フックを有する足場踏み台および第２フックを有する手摺りとを備えた、エレベータ装置の使用方法において、
前記足場踏み台と前記手摺りを、平面視で前記乗りかご内に収まる収納位置に配置する工程と、
前記足場踏み台と前記手摺りを揺動させて、前記足場踏み台と前記手摺りを平面視で前記乗りかごの外方へ突出させる展開位置に持ってくるとともに、前記足場踏み台の前記第１フックおよび前記手摺りの前記第２フックを前記釣り合いおもりガイドレールに設けられた第１ブラケットおよび第２ブラケットに、各々係合させる工程と、を備えた、エレベータ装置の使用方法。
【発明の詳細な説明】
【技術分野】
【０００１】
本開示の実施の形態は、エレベータ装置およびその使用方法に関する。
【背景技術】
【０００２】
エレベータ装置を安全に運行するため、エレベータ装置を定期的に点検する必要がある。エレベータ装置の保守作業においては、エレベータ装置の乗りかご上面に保守作業員が乗り込んで作業している。
【０００３】
このような乗りかご上で保守作業を行う際、保守点検作業スペースを広くとることができるとともに、エレベータ装置の運行時にはこのような運行に支障をきたさないようなエレベータ装置が望まれている。
【先行技術文献】
【特許文献】
【０００４】
【特許文献１】ＷＯ２０１８／１７３１３５
【特許文献２】特開２０１３−２１６３９７
【発明の概要】
【発明が解決しようとする課題】
【０００５】
本開示の実施の形態は、このような点を考慮してなされたものであり、エレベータ装置の運行に支障が生じることなく、かつ保守点検作業スペースを広くとることができるエレベータ装置およびその使用方法を提供する。
【課題を解決するための手段】
【０００６】
本開示の実施の形態は、昇降路内を昇降する乗りかごおよび釣り合いおもりと、前記昇降路内に設けられ、前記釣り合いおもりを案内する釣り合いおもりガイドレールと、前記乗りかごの上面に展開位置と収納位置をとるよう揺動自在に設けられた、第１フックを有する足場踏み台および第２フックを有する手摺りとを備えたエレベータ装置である。前記収納位置をとる時、前記足場踏み台と前記手摺りは平面視で前記乗りかご内に収まり、前記展開位置をとる時、前記足場踏み台と前記手摺りは平面視で前記乗りかごの外方へ突出する。前記釣り合いおもりガイドレールに、前記展開位置をとる前記足場踏み台の第１フックおよび前記手摺りの第２フックと各々係合する第１ブラケットおよび第２ブラケットが設けられている。
【図面の簡単な説明】
【０００７】
【図１】図１は第１の実施の形態に係るエレベータ装置の構成例を示す側面図。
【図２】図２は乗りかごの上部を示す概略斜視図。
【図３】図３は乗りかご上面に設けられた足場踏み台と手摺りを示す斜視図。
【図４】図４は展開位置にある足場踏み台と手摺りを示す側面図。
【図５】図５は収納位置にある足場踏み台と手摺りを示す斜視図。
【図６】図６は収納位置にある足場踏み台と手摺りを示す側面図。
【図７】図７は第２の実施の形態に係るエレベータ装置の構成例を示す側面図。
【図８】図８は第３の実施の形態に係るエレベータ装置の構成例を示す斜視図。
【図９Ａ】図９Ａは展開位置にあるエレベータ装置を示す平面図。
【図９Ｂ】図９Ｂは展開位置にあるエレベータ装置を示す側面図。
【図１０】図１０は展開位置にある足場踏み台と手摺りを示す側面図。
【図１１】図１１は第４の実施の形態に係るエレベータ装置の構成例を示す斜視図。
【図１２】図１２は第５の実施の形態に係るエレベータ装置の構成例を示す斜視図。
【図１３Ａ】図１３Ａは収納位置検知装置の収納位置における作用を示す図。
【図１３Ｂ】図１３Ｂは収納位置検知装置の展開位置における作用を示す図。
【発明を実施するための形態】
【０００８】
＜第１の実施の形態＞
以下、第１の実施の形態によるエレベータ装置について図１乃至図６を参照して説明する。以下の説明において、「乗りかごの上面あるいは上部」とは図１に示す位置にある乗りかごの上面あるいは上部をいう。
【０００９】
ここで図１は、第１の実施の形態に係るエレベータ装置の構成例を示す側面図、図２は、乗りかごの上部を示す概略斜視図、図３は乗りかご上面に設けられた足場踏み台と手摺りを示す斜視図、図４は展開位置にある足場踏み台と手摺りを示す側面図、図５は収納位置にある足場踏み台と手摺りを示す斜視図、図６は収納位置にある足場踏み台と手摺りを示す側面図である。
【００１０】
図１乃至図６に示すように、エレベータ装置1Ａは、建屋の昇降路1の内部に設けられ、メインロープ3により支持され、昇降路1内を昇降する乗りかご4と、昇降路1内を昇降するとともに、乗りかご4に連結された釣り合いおもり6と、昇降路1の頂部に配置され、メインロープ3が巻きかけられた巻上機2と、昇降路1内に設置され、乗りかご4の昇降を案内する乗りかごガイドレール7と、昇降路1内に設置され、釣り合いおもり6の昇降を案内する釣り合いおもりガイドレール5とを備えている。
【００１１】
このようなエレベータ装置1Ａは、トラクション方式のものであり、巻上機2によりメインロープ3を駆動し、乗りかご4を乗りかごガイドレール7に沿って上下に昇降させると共に、釣り合いおもり6を釣り合いおもりガイドレール5に沿って上下に昇降させる。
【００１２】
昇降路1は建屋に形成され、乗りかご4及び釣り合いおもり6が昇降する昇降スペースである。
【００１３】
また図１乃至図６に示すように、乗りかご4は乗りかご本体4Ａと、この乗りかご本体4Ａの側方に設けられた一対のたて枠10と、一対のたて枠10上部に連結された上梁9とを有する。このうち一対のたて枠10と上梁9は乗りかご本体4Ａを補強するものである。
【００１４】
また乗りかご4の上面4ａは、乗りかご本体4Ａの天面に形成されている。さらに乗りかご4の一対のたて枠10には各々腕部11が固着されている。
【００１５】
さらにまた乗りかご4の上面4ａには、展開位置と収納位置とをとる足場踏み台15が乗りかご4の上面4ａに対して揺動自在に設けられている。
【００１６】
足場踏み台15は展開位置において乗りかご4から釣り合いおもりガイドレール5に向かって順次配置された第1分割踏み台15ａと、第２分割踏み台15ｂとを有し、各分割踏み台15ａ，15ｂはリンク機構15ｃを介して互いに揺動可能となっている（図３および図４参照）。
【００１７】
また第２分割踏み台15ｂの釣り合いおもりガイドレール5側の端部にが設けられ、釣り合いおもりガイドレール5には、足場踏み台15が展開位置にきたときに第２分割踏み台15ｂの第１フック15ｄと係合する第1ブラケット16が固着されている。本実施の形態において、第1ブラケット16は釣り合いおもりガイドレール5に締結具16ａにより固着されている。
【００１８】
このような構成からなる足場踏み台15の第1分割踏み台15ａは乗りかご4の上面4ａのうち、釣り合いおもりガイドレール5側の端部に回動軸15ｅを介して揺動自在に取り付けられている。そして第1分割踏み台15ａは、足場踏み台15が収納位置をとるとき垂直方向を向いて倒れ防止機構20により、その垂直方向の姿勢が維持され、第1分割踏み台15ａが倒れることが防止される（図５および図６参照）。
【００１９】
また足場踏み台15が展開位置をとる場合、第1分割踏み台15ａは倒れ防止機構20から外されて、乗りかご4の上面に対して回動軸15ｅを介して揺動して水平方向を向く（図３および図４参照）。このとき、第1分割踏み台15ａは、乗りかご4の上面4ａ上において回動軸15ｅにより保持されるとともに、乗りかご4の上面4ａの端部により更に下方への揺動が停止される。このため展開位置をとる際、第1分割踏み台15ａは水平方向の姿勢が維持される。
【００２０】
また足場踏み台15が展開位置をとる場合、第２分割踏み台15ｂは第1分割踏み台15ａに対してリンク機構15ｃを介して釣り合いおもりガイドレール5側へ揺動する。
【００２１】
このように第２分割踏み台15ｂが水平方向を向く第1分割踏み台15ａに対して、リンク機構15ｃを介して更に揺動することにより、第２分割踏み台15ｂは約１８０°回動して水平方向を向くことになる。この場合、第２分割踏み台15ｂは、リンク機構15ｃにより第1分割踏み台15ａに対して１８０°以上回転することはなく、このリンク機構15ｃにより第２分割踏み台15ｂは第1分割踏み台15ａに対して１８０°回転したところで停止し、水平方向の姿勢をとる。
【００２２】
このとき、第２分割踏み台15ｂの第１フック15ｄが、釣り合いおもりガイドレール5に取り付けられた第1ブラケット16と係合する。このことにより、第２分割踏み台15ｂは第1分割踏み台15ａおよび第1ブラケット16により支持されることになる。このことにより第２分割踏み台15ｂを第1分割踏み台15ａと第1ブラケット16により堅固に固定することができる。
【００２３】
また乗りかご4の一対のたて枠10上部に連結された上梁9には水平方向に延びる上方支持腕9ａが固着されている。そしてこの上方支持腕9ａには、展開位置と収納位置とをとる上方手摺り13が揺動自在に取り付けられている。
【００２４】
さらに乗りかご4の一対のたて枠10に水平方向を向くよう固着された腕部11には、この腕部11から更に水平方向に向かって延びる下方支持腕11ａが固着されている。そしてこの下方支持腕11ａには、展開位置と収納位置とをとる下方手摺り14が揺動自在に取り付けられている。
【００２５】
そして上方手摺り13と下方手摺り14とにより手摺り13，14が構成される。
【００２６】
以下、上方手摺り13と下方手摺り14について説明する。
【００２７】
上方手摺り13は展開位置において乗りかご4から釣り合いおもりガイドレール5に向かって順次配置された第1分割手摺り13ａと、第２分割手摺り13ｂとを有し、各分割手摺り１３ａ，１３ｂはリンク機構13ｃを介して互いに揺動可能となっている（図３および図４参照）。
【００２８】
また第２分割手摺り13ｂの釣り合いおもりガイドレール5側の端部に第２フック13ｄが設けられ、釣り合いおもりガイドレール5には、上方手摺り13が展開位置にきたときに第２分割手摺り13ｂの第２フック13ｄと係合する第２ブラケット17が固着されている。本実施の形態において、第２ブラケット17は釣り合いおもりガイドレール5に締結具17ａにより固着されている。
【００２９】
このような構成からなる上方手摺り13の第1分割手摺り13ａは上方支持腕9ａのうち、釣り合いおもりガイドレール5側の端部に回動軸13ｅを介して揺動自在に取り付けられている。そして第1分割手摺り13ａは、上方手摺り13が収納位置をとるとき垂直方向を向いて倒れ防止機構21により、その垂直方向の姿勢が維持され、第1分割手摺り13ａが倒れることが防止される。
【００３０】
また上方手摺り13が展開位置をとる場合、第1分割手摺り13ａは倒れ防止機構21から外されて、上方支持腕9ａに対して回動軸13ｅを介して揺動して水平方向を向く。このとき、第1分割手摺り13ａは、上方支持腕9ａにおいて回動軸13ｅにより保持されるとともに、上方支持腕9ａの端部により更に下方へ揺動することが停止される。このため展開位置をとる際、第1分割手摺り13ａは水平方向の姿勢が維持される。
【００３１】
また上方手摺り13が展開位置をとる場合、第２分割手摺り13ｂは第1分割手摺り13ａに対してリンク機構13ｃを介して釣り合いおもりガイドレール5側へ揺動する。
【００３２】
このように第２分割手摺り13ｂが水平方向を向く第1分割手摺り13ａに対して、リンク機構13ｃを介して更に揺動することにより、第２分割手摺り13ｂは約１８０°回動して水平方向を向くことになる。この場合、第２分割手摺り13ｂは、リンク機構13ｃにより第1分割手摺り13ａに対して１８０°以上回転することはなく、このリンク機構13ｃにより第２分割手摺り13ｂは第1分割手摺り13ａに対して１８０°回転したところで停止し、水平方向の姿勢をとる。
【００３３】
このとき、第２分割手摺り13ｂの第２フック13ｄが、釣り合いおもりガイドレール5に取り付けられた第２ブラケット17と係合する。このことにより、第２分割手摺り13ｂは第1分割手摺り13ａおよび第２ブラケット17により支持されることになる。
【００３４】
一方、下方手摺り14は展開位置において乗りかご4から釣り合いおもりガイドレール5に向かって順次配置された第１分割手摺り14ａと、第２分割手摺り14ｂとを有し、各分割手摺り１４ａ，１４ｂはリンク機構14ｃを介して互いに揺動可能となっている（図３および図４参照）。
【００３５】
また第２分割手摺り14ｂの釣り合いおもりガイドレール5側の端部に第２フック14ｄが設けられ、釣り合いおもりガイドレール5には、下方手摺り14が展開位置にきたときに第２分割手摺り14ｂの第２フック13ｄと係合する第２ブラケット18が固着されている。本実施の形態において、第２ブラケット18は釣り合いおもりガイドレール5に締結具18ａにより固着されている。
【００３６】
このような構成からなる下方手摺り14の第１分割手摺り14ａは下方支持腕11ａのうち、釣り合いおもりガイドレール5側の端部に回動軸14ｅを介して揺動自在に取り付けられている。そして第１分割手摺り14ａは、下方手摺り14が収納位置をとるとき垂直方向を向いて倒れ防止機構22により、その垂直方向の姿勢が維持され、第１分割手摺り14ａが倒れることが防止される。
【００３７】
また下方手摺り14が展開位置をとる場合、第１分割手摺り14ａは倒れ防止機構22から外されて、下方支持腕11ａに対して回動軸14ｅを介して揺動して水平方向を向く。このとき、第１分割手摺り14ａは、下方支持腕11ａにおいて回動軸13ｅにより保持されるとともに、下方支持腕11ａの端部により更に下方へ揺動することが停止される。このため展開位置をとる際、第１分割手摺り14ａは水平方向の姿勢が維持される。
【００３８】
また下方手摺り14が展開位置をとる場合、第２分割手摺り14ｂは第１分割手摺り14ａに対してリンク機構14ｃを介して釣り合いおもりガイドレール5側へ揺動する。
【００３９】
このように第２分割手摺り14ｂが水平方向を向く第１分割手摺り14ａに対して、リンク機構14ｃを介して更に揺動することにより、第２分割手摺り14ｂは約１８０°回動して水平方向を向くことになる。この場合、第２分割手摺り14ｂは、リンク機構14ｃにより第１分割手摺り14ａに対して１８０°以上回転することはなく、このリンク機構14ｃにより第２分割手摺り14ｂは第１分割手摺り14ａに対して１８０°回転したところで停止し、水平方向の姿勢をとる。
【００４０】
このとき、第２分割手摺り14ｂの第２フック14ｄが、釣り合いおもりガイドレール5に取り付けられた第２ブラケット18と係合する。このことにより、第２分割手摺り14ｂは第１分割手摺り14ａおよび第２ブラケット18により支持されることになる。
【００４１】
次にこのような構成からなる本実施の形態の作用について説明する。
【００４２】
まずエレベータ装置1Ａの運行時には、足場踏み台15、上方手摺り13および下方手摺り14を収納位置にある（図５および図６参照）。
【００４３】
このとき足場踏み台15の第1分割踏み台15ａは回動軸15ｅを介して回動し、垂直方向を向く。同様に第２分割踏み台15ｂはリンク機構15ｃを介して第1分割踏み台15ａに対して回動し、垂直方向を向く。足場踏み台15の第1分割踏み台15ａは倒れ防止機構20により係合されて垂直方向の姿勢を維持する。
【００４４】
収納位置にある足場踏み台15は全体として垂直方向を向き、平面視で乗りかご4内に収まる。このためエレベータ装置1Ａの運行時に支障が生じることはない。
【００４５】
同様に上方手摺り13の第1分割手摺り13ａは回動軸13ｅを介して回動し、垂直方向を向く。同様に第２分割手摺り13ｂはリンク機構13ｃを介して第1分割手摺り13ａに対して回動し、垂直方向を向く。上方手摺り13の第1分割手摺り13ａは倒れ防止機構21により係合されて垂直方向の姿勢を維持する。
【００４６】
収納位置にある上方手摺り13は全体として垂直方向を向き、平面視で乗りかご4内に収まる。このためエレベータ装置1Ａの運行時に支障が生じることはない。
【００４７】
また下方手摺り14の第１分割手摺り14ａは回動軸14ｅを介して回動し、垂直方向を向く。同様に第２分割手摺り14ｂはリンク機構14ｃを介して第１分割手摺り14ａに対して回動し、垂直方向を向く。下方手摺り14の第１分割手摺り14ａは倒れ防止機構22により係合されて垂直方向の姿勢を維持する。
【００４８】
収納位置にある下方手摺り14は全体として垂直方向を向き、平面視で乗りかご4内に収まる。このためエレベータ装置1Ａの運行時に支障が生じることはない。
【００４９】
次に保守点検時において、乗りかご4は昇降路1内で昇降し、所望の高さ位置で停止する。
【００５０】
次に足場踏み台15の第1分割踏み台15ａから倒れ防止機構20を外し、第1分割踏み台15ａを回動軸15ｅを介して回動させ、第1分割踏み台15ａは水平方向の姿勢をとる。次に第２分割踏み台15ｂをリンク機構15ｃを介して回動させて第２分割踏み台15ｂを水平方向に向ける。このようにして足場踏み台15は全体として水平方向を向き、第２分割踏み台15ｂの第１フック15ｄが第1ブラケット16に係合する（図３および図４参照）。
【００５１】
このとき足場踏み台15は展開位置をとり、足場踏み台15の第1分割踏み台15ａと第２分割踏み台15ｂは平面視で乗りかご4から外方へ突出する。
【００５２】
同様に上方手摺り13の第1分割手摺り13ａから倒れ防止機構21を外し、第1分割手摺り13ａを回動軸13ｅを介して回動させ、第1分割手摺り13ａは水平方向の姿勢をとる。次に第２分割手摺り13ｂをリンク機構13ｃを介して回動させて第２分割手摺り13ｂを水平方向に向ける。このようにして上方手摺り13は全体として水平方向を向き、第２分割手摺り13ｂの第２フック13ｄが第２ブラケット17に係合する（図３および図４参照）。
【００５３】
このとき上方手摺り13は展開位置をとり、上方手摺り13の第1分割手摺り13ａと第２分割手摺り13ｂは平面視で乗りかご4から外方へ突出する。
【００５４】
また下方手摺り14の第１分割手摺り14ａから倒れ防止機構22を外し、第１分割手摺り14ａを回動軸14ｅを介して回動させ、第１分割手摺り14ａは水平方向の姿勢をとる。次に第２分割手摺り14ｂをリンク機構14ｃを介して回動させて第２分割手摺り14ｂを水平方向に向ける。このようにして下方手摺り14は全体として水平方向を向き、第２分割手摺り14ｂの第２フック14ｄが第２ブラケット18に係合する（図３および図４参照）。
【００５５】
このとき下方手摺り14は展開位置をとり、下方手摺り14の第１分割手摺り14ａと第２分割手摺り14ｂは平面視で乗りかご4から外方へ突出する。
【００５６】
このように足場踏み台15、上方手摺り13および下方手摺り14はいずれも展開位置において、乗りかご4の外方へ突出することになる。保守作業員は乗りかご4の上面4ａに乗った後、乗りかご4から外方へ突出する足場踏み台15上に乗り移り、上方手摺り13および下方手摺り14を把持しながら、昇降路1内の機器について保守点検することができる。
【００５７】
このように保守点検時において、保守作業員は乗りかご4の上面4ａから、乗りかご4から外方へ突出する足場踏み台15上に乗り移って点検作業を行うことができる。このため昇降路1内の広範囲に設置された機器についても、安全かつ確実に保守点検作業を行うことができる。
【００５８】
なお上記実施の形態において、上方手摺り13と下方手摺り14とにより手摺り13，14が構成される例を示したが、これに限らず手摺りは上方手摺り13のみから構成し、下方手摺り14は省略してもよい。
【００５９】
さらにまた、上方手摺り13および下方手摺り14はいずれも第２フック13ｄ，１４ｄを有し、これらの第２フック13ｄ，１４ｄが釣り合いおもりガイドレール5に設けられた第２ブラケット17，１８に各々係合する例を示したが、第２フック13ｄ，１４ｄおよび第２ブラケット17，１８を各々省略し、上方手摺り13の第２手摺り１３ｂを第１手摺り１３ａにより支持するとともに、下方手摺り14の第２手摺り１４ｂを第１手摺り１４ａにより支持するようにしてもよい。
【００６０】
＜第２の実施の形態＞
次に図７により第２の実施の形態によるエレベータ装置1Ａについて説明する。
【００６１】
図７に示す第２の実施の形態は、足場踏み台15の構成が異なるのみであり、他の構成は図１乃至図６に示す第１の実施の形態と略同一である。
【００６２】
図７に示す第２の実施の形態において、図１乃至図６に示す第１の実施の形態と同一部分には同一符号を付して詳細な説明は省略する。
【００６３】
足場踏み台15は展開位置において乗りかご4から釣り合いおもりガイドレール5に向かって順次配置された第1分割踏み台15ａと、第２分割踏み台15ｂとを有し、各分割踏み台15ａ，15ｂはリンク機構15ｃを介して互いに揺動可能となっている（図７参照）。
【００６４】
また第２分割踏み台15ｂの釣り合いおもりガイドレール5側の端部に第１フック15ｄが設けられ、釣り合いおもりガイドレール5には、足場踏み台15が展開位置にきたときに第２分割踏み台15ｂの第１フック15ｄと係合する第1ブラケット16が固着されている。本実施の形態において、第1ブラケット16は釣り合いおもりガイドレール5に締結具16ａにより固着されている。
【００６５】
このような構成からなる足場踏み台15の第1分割踏み台15ａは乗りかご4の上面4ａのうち、釣り合いおもりガイドレール5側の端部に回動軸15ｅを介して揺動自在に取り付けられている。そして第1分割踏み台15ａは、足場踏み台15が収納位置をとるとき垂直方向を向いて倒れ防止機構20により、その垂直方向の姿勢が維持され、第1分割踏み台15ａが倒れることが防止される。
【００６６】
また足場踏み台15が展開位置をとる場合、第1分割踏み台15ａは倒れ防止機構20から外されて、乗りかご4の上面に対して回動軸15ｅを介して揺動して水平方向を向く（図３および図４参照）。このとき、第1分割踏み台15ａは、乗りかご4の上面4ａ上において回動軸15ｅにより保持されるとともに、乗りかご4の上面4ａの端部により更に下方への揺動が停止される。このため展開位置をとる際、第1分割踏み台15ａは水平方向の姿勢が維持される。
【００６７】
また足場踏み台15が展開位置をとる場合、第２分割踏み台15ｂは第1分割踏み台15ａに対してリンク機構15ｃを介して釣り合いおもりガイドレール5側へ揺動する。
【００６８】
この場合、第２分割踏み台15ｂは第1分割踏み台15ａに対して、１８０°の回転角度に限られることはなく、リンク機構15ｃにより１８０°以上の回転角度をもって回動することが可能となっている。
【００６９】
このとき第２分割踏み台15ｂは第1分割踏み台15ａに対して１８０°以上回動し、その自重により釣り合いおもりガイドレール5側へ倒れる。その後、第２分割踏み台15ｂの第１フック15ｄが釣り合いおもりガイドレール5に取り付けられた第1ブラケット16と係合する。このことにより第２分割踏み台15ｂは第1分割踏み台15ａと第1ブラケット16により堅固に支持される。
【００７０】
本実施の形態によれば、昇降路1内で乗りかご4の高さ方向位置を適切な位置に合わせることが困難な場合であっても、第２分割踏み台15ｂを自重により釣り合いおもりガイドレール5側へ倒すことができ、第２分割踏み台15ｂの高さ方向位置と、釣り合いおもりガイドレール5側の第1ブラケット16の高さ方向位置に多少のずれがあっても第２分割踏み台15ｂの第１フック15ｄを釣り合いおもりガイドレール5側の第1ブラケット16に確実に係合させることができる。
【００７１】
＜第３の実施の形態＞
次に図８乃至図１０により第３の実施の形態によるエレベータ装置1Ａについて説明する。
【００７２】
図８乃至図１０に示す第３の実施の形態は、足場踏み台15の構成が異なるのみであり、他の構成は図１乃至図６に示す第１の実施の形態と略同一である。
【００７３】
図８乃至図１０に示す第３の実施の形態において、図１乃至図６に示す第１の実施の形態と同一部分には同一符号を付して詳細な説明は省略する。
【００７４】
図８乃至図１０に示すように、足場踏み台15は展開位置において乗りかご4から釣り合いおもりガイドレール5に向かって順次配置された第1分割踏み台15ａと、第２分割踏み台15ｂとを有し、各分割踏み台１５ａ，１５ｂはリンク機構15ｃを介して互いに揺動可能となっている。
【００７５】
また第２分割踏み台15ｂの釣り合いおもりガイドレール5側の端部に第１フック15ｄが設けられ、釣り合いおもりガイドレール5には、足場踏み台15が展開位置にきたときに第２分割踏み台15ｂの第１フック15ｄと係合する第1ブラケット16が固着されている。本実施の形態において、第1ブラケット16は釣り合いおもりガイドレール5に締結具16ａにより固着されている。
【００７６】
このような構成からなる足場踏み台15の第1分割踏み台15ａは乗りかご4の上面4ａのうち、釣り合いおもりガイドレール5側の端部に回動軸15ｅを介して揺動自在に取り付けられている。そして第1分割踏み台15ａは、足場踏み台15が収納位置をとるとき垂直方向を向いて倒れ防止機構20により、その垂直方向の姿勢が維持され、第1分割踏み台15ａが倒れることが防止される。
【００７７】
また足場踏み台15が展開位置をとる場合、第1分割踏み台15ａは倒れ防止機構20から外されて、乗りかご4の上面に対して回動軸15ｅを介して揺動して水平方向を向く（図８〜図１０参照）。このとき、第1分割踏み台15ａは、乗りかご4の上面4ａ上において回動軸15ｅにより保持されるとともに、乗りかご4の上面4ａの端部により更に下方への揺動が停止される。このため展開位置をとる際、第1分割踏み台15ａは水平方向の姿勢が維持される。
【００７８】
また足場踏み台15が展開位置をとる場合、第２分割踏み台15ｂは第1分割踏み台15ａに対してリンク機構15ｃを介して釣り合いおもりガイドレール5側へ揺動する。
【００７９】
このように第２分割踏み台15ｂが水平方向を向く第1分割踏み台15ａに対して、リンク機構15ｃを介して更に揺動することにより、第２分割踏み台15ｂは約１８０°回動して水平方向を向くことになる。この場合、第２分割踏み台15ｂは、リンク機構15ｃにより第1分割踏み台15ａに対して１８０°以上回転することはなく、このリンク機構15ｃにより第２分割踏み台15ｂは第1分割踏み台15ａに対して１８０°回転したところで停止し、水平方向の姿勢をとる。
【００８０】
このとき、第２分割踏み台15ｂの第１フック15ｄが、釣り合いおもりガイドレール5に取り付けられた第1ブラケット16と係合する。このことにより、第２分割踏み台15ｂは第1分割踏み台15ａおよび第1ブラケット16により支持されることになる。このことにより第２分割踏み台15ｂを第1分割踏み台15ａと第1ブラケット16により堅固に固定することができる。
【００８１】
ところで、図８乃至図１０に示す実施の形態において、足場踏み台15の第２分割踏み台15ｂは、上層踏み台25と、この上層踏み台25を収納して保持する下層踏み台26とを有する上下２層構造をもつ。この場合、第２分割踏み台15ｂの下層踏み台26は上方が開口する中空状の箱体からなり、上層踏み台25はこの下層踏み台26内に収まる。そして上層踏み台25と下層踏み台26との間にスプリング等からなる伸縮部材27が介在され、上層踏み台25は下層踏み台26内で上下方向に移動可能となっている。
【００８２】
また下層踏み台26は第1分割踏み台15ａ側にリンク機構15ｃを介して揺動自在に連結され、第１フック15ｄは上層踏み台25の端部に取り付けられている。
【００８３】
図８乃至図１０において、保守作業員が乗りかご4の上面から展開位置にある足場踏み台15側へ乗り移る。この場合、保守作業員が足場踏み台15の第1分割踏み台15ａから第２分割踏み台15ｂの上層踏み台25上に移動すると、上層踏み台25が伸縮部材27を縮ませながらゆっくりと沈み込む。そして上層踏み台25の先端に取り付けられていた第１フック15ｄが第1ブラケット16に係合し、第２分割踏み台15ｂは第1分割踏み台15ａと第1ブラケット16とにより支持される。
【００８４】
本実施の形態において、第２分割踏み台15ｂは上層踏み台25と下層踏み台26とを有する上下２層構造をもち、上層踏み台25は下層踏み台26上で伸縮部材27を介して上下方向に移動可能となっている。このため釣り合いおもりガイドレール5側に取り付けられた第1ブラケット16と上層踏み台25の先端に取り付けられている第１フック15ｄとの間で高さ方向位置が多少ずれていても、保守作業員が上層踏み台25上に乗るだけで上層踏み台25を沈めることができ、このことにより上層踏み台25の第１フック15ｄを第1ブラケット16に確実に係合させることができる。
【００８５】
なお本実施の形態において、上層踏み台25の降下長さを５ｍｍ程度以下に抑えることができ、これにより上層踏み台25が降下しても、保守作業員が第1分割踏み台15ａと第２分割踏み台15ｂの上層踏み台25間でつまずくことはない。
【００８６】
＜第４の実施の形態＞
次に図１１により第４の実施の形態によるエレベータ装置1Ａについて説明する。
【００８７】
図１１に示す第４の実施の形態は、足場踏み台15を支持する第１ブラケットの構成が異なるのみであり、他の構成は図１乃至図６に示す第１の実施の形態と略同一である。
【００８８】
図１１に示す第４の実施の形態において、図１乃至図６に示す第１の実施の形態と同一部分には同一符号を付して詳細な説明は省略する。
【００８９】
図１１に示す第４の実施の形態において、釣り合いおもりガイドレール5にエレベータ装置の制御盤28が取り付けられている。図１１において制御盤28は釣り合いおもりガイドレール5に一対の取り付けブラケット36Ａ、36Ｂにより取り付けられている。
【００９０】
また、下方の取り付けブラケット36Ａは、足場踏み台15の第２分割踏み台15ｂに設けられた第１フック15ｄに係合する第１ブラケットとしても機能する。
【００９１】
図１１において、制御盤28を釣り合いおもりガイドレール5に取り付ける一対の取り付けブラケット36Ａ、36Ｂを、足場踏み台15の第２分割踏み台15ｂに設けられた第１フック15ｄに係合する第１ブラケットとして兼用することができるため、エレベータ装置1Ａの構造全体から部品点数を削減することができる。
【００９２】
また制御盤28の下方の取り付けブラケット36Ａにより足場踏み台15の第１フック15ｄを係合させることにより、足場踏み台15と制御盤28とを接近させることができる。これにより足場踏み台15上に乗った保守作業員により容易に制御盤28を保守点検することが可能となる。
【００９３】
なお、制御盤28の下方の取り付けブラケット36Ａを足場踏み台15の第１フック15ｄに係合する第１ブラケットとして機能させる例を示したが、これに限らず制御盤28の取り付けブラケット36Ａ、36Ｂを上方手摺り13の第２フック13ｄあるいは下方手摺り14の第２フック14ｄと係合する第２ブラケットとして兼用することもできる。さらに制御盤28だけでなく釣り合いおもりガイドレール5に取り付けられた他の機器の取り付けブラケットを、足場踏み台15の第１フック15ｄ、あるいは上方手摺り13あるいは下方手摺り14の第２フック13ｄ，１４ｄに係合するブラケットとして用いてもよい。
【００９４】
＜第５の実施の形態＞
次に図１２乃至図１３Ｂにより第５の実施の形態によるエレベータ装置1Ａについて説明する。
【００９５】
図１２乃至図１３Ｂに示す第５の実施の形態は、足場踏み台15、上方手摺り13および下方手摺り14の各々の回動軸15ｅ，13ｅ，14ｅの近傍にこれら足場踏み台15、上方手摺り13および下方手摺り14が収納位置にあるか否か検知する収納位置検知装置30を設けたものである。他の構成は図１乃至図６に示す第１の実施の形態と略同一である。
【００９６】
図１２乃至図１３Ｂに示す第５の実施の形態において、図１乃至図６に示す第１の実施の形態と同一部分には同一符号を付して詳細な説明は省略する。
【００９７】
図１２乃至図１３Ｂにおいて、足場踏み台15、上方手摺り13および下方手摺り14の各々の回動軸15ｅ，13ｅ，14ｅの近傍に設けられた収納位置検知装置30はいずれも略同一構造をもつ。このため本実施の形態においては足場踏み台15の回動軸15ｅ近傍に設けられた収納位置検知装置30について説明する。
【００９８】
図１３Ａおよび図１３Ｂに示すように足場踏み台15は、乗りかご4の上面に回動軸15ｅを介して回動自在に設けられた第1分割踏み台15ａと、この第1分割踏み台15ａにリンク機構15ｃを介して揺動自在に設けられた第２分割踏み台15ｂとを有する。
【００９９】
そして乗りかご4の上面4ａであって第1分割踏み台15ａの回動軸15ｅの近傍に収納位置検知装置30が設けられている。
【０１００】
そして収納位置検知装置30は、リミットスイッチ30ａを有する。
【０１０１】
足場踏み台15が収納位置をとるとき、足場踏み台15の第1分割踏み台15ａと第２分割踏み台15ｂは垂直方向の姿勢をとり、垂直方向の姿勢をとる第1分割踏み台15ａにより収納位置検知装置30のリミットスイッチ30ａが押圧される。そして収納位置検知装置30から収納位置にある旨の信号が制御部35に送られる（図１３Ａ参照）。
【０１０２】
他方、足場踏み台15が展開位置をとるとき、収納位置検知装置30のリミットスイッチ30ａが押圧されることはなく、収納位置検知装置30から収納位置にない旨の信号が制御部35に送られる（図１３Ｂ参照）。
【０１０３】
このようにして制御部35には足場踏み台15、上方手摺り13および下方手摺り14の各々に設置された収納位置検知装置30からの信号が入力され、制御部35は足場踏み台15、上方手摺り13および下方手摺り14のすべてが収納位置をとっている時にエレベータ装置1Ａの運行を可能とする。
【０１０４】
一方、制御部35は足場踏み台15、上方手摺り13および下方手摺り14のうち一つでも展開位置をとる時は、エレベータ装置1Ａの運行ができない状態とする。
【０１０５】
このように足場踏み台15、上方手摺り13および下方手摺り14の各々に収納位置検知装置を設け、これら収納位置検知装置30からの信号を制御部35に送ることにより、エレベータ装置1Ａを安全に運行させることができる。
【０１０６】
なお、以上において説明した実施の形態は、例として提示したものであり、開示の範囲を限定することは意図していない。この開示の新規な実施の形態は、その他の様々な形態、実施の形態の様々な組み合わせで実施することが可能であり、開示の要旨を逸脱しない範囲で、種々の省略、置き換え、変更を行うことができる。その実施形態やその変形は、開示の範囲や要旨に含まれるとともに、特許請求の範囲に記載された発明とその均等の範囲に含まれる。
【符号の説明】
【０１０７】
1  昇降路、2  巻上機、3  メインロープ、4  乗りかご、  乗りかご本体4Ａ  上面4ａ、5  釣り合いおもりガイドレール、6  釣り合いおもり、7  乗りかごガイドレール、9  上梁、9ａ  上方支持腕、10  たて枠、11  腕部、11ａ  下方支持腕、13  上方手摺り、13ａ  第１分割手摺り、13ｂ  第２分割手摺り、13ｃ  リンク機構、13ｄ  第２フック、14  下方手摺り、14ａ  第１分割手摺り、14ｂ  第２分割手摺り、14ｃ  リンク機構、14ｄ  第２フック、15  足場踏み台、15ａ  第１分割踏み台、15ｂ  第２分割踏み台、15ｃ  リンク機構、15ｄ  第１フック、16  第１ブラケット、17，18  第２ブラケット、25  上層踏み台、26  下層踏み台、27  伸縮部材、28  制御盤、30  収納位置検知装置、35  制御部、36Ａ、36Ｂ  取り付けブラケット
【要約】
【課題】保守点検作業スペースを広くとることができるエレベータ装置を提供する。
【解決手段】乗りかご4の上面4ａに、第１フック15ｄを有する足場踏み台15と、第２フック13ｄを有する上方手摺り13および第２フック14ｄを有する下方手摺り14とが展開位置と収納位置をとるよう揺動自在に設けられている。釣り合いおもりガイドレール5に、第１フック15ｄに係合する第1ブラケット16と、第２フック13ｄ，１４ｄに係合する第２ブラケット17，18とが設けられている。
【選択図】図４【図１】
0006940229.tif 000002
【図２】
0006940229.tif 000003
【図３】
0006940229.tif 000004
【図４】
0006940229.tif 000005
【図５】
0006940229.tif 000006
【図６】
0006940229.tif 000007
【図７】
0006940229.tif 000008
【図８】
0006940229.tif 000009
【図９Ａ】
0006940229.tif 000010
【図９Ｂ】
0006940229.tif 000011
【図１０】
0006940229.tif 000012
【図１１】
0006940229.tif 000013
【図１２】
0006940229.tif 000014
【図１３Ａ】
0006940229.tif 000015
【図１３Ｂ】
0006940229.tif 000016